【手続補正書】
【提出日】平成28年2月16日(2016.2.16)
【手続補正１】
【補正対象書類名】特許請求の範囲
【補正対象項目名】請求項１
【補正方法】変更
【補正の内容】
【請求項１】
縦方向及びそれに直交する横方向を有し、肌対向面及びその反対側の非肌対向面と、前ウエスト域と、後ウエスト域と、前記前後ウエスト域間に位置するクロッチ域と、少なくとも前記クロッチ域に位置する吸収性コアとを含み、前記前後ウエスト域の両側縁部を互いに接合することによってウエスト開口と一対のレッグ開口とが画定されるパンツ型の使い捨て吸収性物品において、
前記前ウエスト域は、前記ウエスト開口の一部を画定する前開口端縁と、ウエスト回り方向へ伸縮可能であって前記前開口端縁側に位置する前ウエスト保持域と、前記吸収性コアの前記非肌対向面側に位置する防漏性シートとを含み、
前記後ウエスト域は、前記ウエスト開口の一部を画定する後開口端縁と、前記ウエスト回り方向へ伸縮可能であって前記後開口端縁側に位置する後ウエスト保持域と、前記吸収性コアの前記非肌対向面側に位置する前記防漏性シートとを含み、
前記前ウエスト域の前記防漏性シートの外端縁から前記前開口端縁までの前記縦方向における離間寸法は、前記後ウエスト域の前記防漏性シートの外端縁から前記後開口端縁までの前記縦方向における離間寸法よりも大きく、前記吸収性コアの前端縁から前記前開口端縁までの前記縦方向における離間寸法が、前記吸収性コアの後端縁から前記後開口端縁までの前記縦方向における離間寸法よりも小さいことを特徴とする前記吸収性物品。
【手続補正２】
【補正対象書類名】特許請求の範囲
【補正対象項目名】請求項２
【補正方法】変更
【補正の内容】
【請求項２】
縦方向及びそれに直交する横方向を有し、肌対向面及びその反対側の非肌対向面と、前ウエスト域と、後ウエスト域と、前記前後ウエスト域間に位置するクロッチ域と、少なくとも前記クロッチ域に位置する吸収性コアとを含み、前記前後ウエスト域の両側縁部を互いに接合することによってウエスト開口と一対のレッグ開口とが画定されるパンツ型の使い捨て吸収性物品において、
前記後ウエスト域は、前記ウエスト開口の一部を形成する開口端縁と、ウエスト回り方向へ伸縮可能なウエスト伸縮域と、前記ウエスト伸縮域を形成するシートと、前記吸収性コアの前記非肌対向面側に位置する防漏性シートとを含み、
前記防漏性シートは、前記吸収性コアの後端縁よりも前記開口端縁側に延出しており、
前記ウエスト伸縮域は、少なくとも前記吸収性コアの前記後端縁と前記開口端縁との間に形成されており、
前記吸収性コアの前記後端縁から前記開口端縁側へ延出する部分の前記縦方向の寸法は、前記後ウエスト域における前記吸収性コアの前記縦方向の寸法よりも大きいことを特徴とする前記吸収性物品。
【手続補正３】
【補正対象書類名】特許請求の範囲
【補正対象項目名】請求項５
【補正方法】変更
【補正の内容】
【請求項５】
前記吸収性コアは前記縦方向へ連続して延びるものであり、前記縦方向において、前記吸収性コアの前記後端縁の位置が、前記吸収性コアの前記前端縁の位置よりも下方に配置される請求項１−４のいずれかに記載の吸収性物品。
【手続補正４】
【補正対象書類名】特許請求の範囲
【補正対象項目名】請求項１０
【補正方法】変更
【補正の内容】
【請求項１０】
前記防漏性シートの前記非肌対向面には、外部から視認可能な図が形成され、前記図は、前記縦方向へ延びる構成要素を有する請求項５−９のいずれかに記載の吸収性物品。
【手続補正５】
【補正対象書類名】特許請求の範囲
【補正対象項目名】請求項１２
【補正方法】変更
【補正の内容】
【請求項１２】
前記レッグ開口の一部に沿って配置されたレッグ弾性域を有し、
前記レッグ弾性域と、前記後外端域とにおける伸長力の相関関係は、前記レッグ弾性域＜前記後外端域であり、
前記レッグ弾性域と、前記後中間域とにおける伸長力の相関関係は、前記レッグ弾性域＜前記後中間域である請求項１１に記載の吸収性物品。
【手続補正６】
【補正対象書類名】明細書
【補正対象項目名】００３７
【補正方法】変更
【補正の内容】
【００３７】
また、予め測定した最大伸長時の寸法Ｒ１を１００％とする。チャック間距離Ｒから測定を開始し、チャック間の離間寸法が最大寸法Ｒ１の約８７％となるまで試料を伸長させた。次に、最大寸法Ｒ１の約８７％まで伸長させた試料を次第に収縮させて、上下チャック間の離間距離が約７１％となったときの伸長応力を測定し、試料の幅に基づいて、単位幅（約３０ｍｍ）当たりの値に換算した値を測定値（Ｎ／３０ｍｍ）にした。
【手続補正７】
【補正対象書類名】明細書
【補正対象項目名】００４８
【補正方法】変更
【補正の内容】
【００４８】
ウエスト保持域５１ａは、前ウエストパネル１８側の前ウエスト保持域４９ｂと、後ウエストパネル１９側の後ウエスト保持域５０ｂとで形成される。前ウエスト保持域４９ｂと、前ウエスト伸縮域４９ａとは同一の領域である。
【手続補正８】
【補正対象書類名】明細書
【補正対象項目名】００９９
【補正方法】変更
【補正の内容】
【００９９】
上記段落［００９８］に開示した本発明に係るパンツ型の使い捨て吸収性物品は、少なくとも下記の実施形態を含み、実施形態は、互いに分離し又は組み合わせて採択される。
（１）前記吸収性コアを含み、前記吸収性コアの前記肌対向面に位置するトップシートと、前記吸収性コアの前記非肌対向面に位置するバックシートと、前記バックシートの前記非肌対向面に配置してある前記防漏性シートとを有する吸液構造体を備える。
（２）前記吸収性コアを含み、前記吸収性コアの前記肌対向面に位置するトップシートと、前記吸収性コアの前記非肌対向面に位置するバックシートと、前記バックシートの前記非肌対向面に位置する液不透過性シートとを有する吸液構造体を備え、前記防漏性シートは、前記吸液構造体の前記非肌対向面に配置してある。
（３）前記吸収性コアは前記縦方向へ連続して延びるものであり、前記縦方向において、前記吸収性コアの前記後端縁の位置が、前記吸収性コアの前記前端縁の位置よりも下方に配置される。
（４）前記前ウエスト保持域および前記後ウエスト保持域は、前記前ウエスト域における前記前開口端縁から前記吸収性コアの前記前端縁までの長さ寸法を基準にして設定されるものであり、前記後ウエスト保持域は、前記前ウエスト保持域を形成するシートの枚数が、前記後ウエスト保持域を形成するシートの枚数よりも少ない部分を有する。
（５）前記前ウエスト保持域を形成するシートの単位面積当たりの質量よりも、前記後ウエスト保持域を形成するシートの単位面積当たりの質量が小さい。
（６）前記前ウエスト域および前記後ウエスト域は、前記前ウエスト保持域における下端縁から前記クロッチ域へ向けて所定の長さ寸法だけ前記縦方向へ延びて前記前後ウエスト保持域に隣接する前ウエスト中央域及び後ウエスト中央域を有し、前記縦方向における単位長さ当たりの前記後ウエスト中央域の前記ウエスト回り方向への伸長応力よりも、前記縦方向における単位長さ当たりの前記後ウエスト保持域の前記ウエスト回り方向への伸長応力が大きい。
（７）前記後ウエスト保持域は、前記吸液構造体の前記非肌対向面側に配置されて前記横方向へ延びる後ウエスト弾性体を含み、前記後ウエスト弾性体は、前記ウエスト回り方向へ連続して延びる。
（８）前記防漏性シートの前記非肌対向面には、外部から視認可能な図が形成され、前記図は、前記縦方向へ延びる構成要素を有する。
（９）前記後ウエスト域は、前記後開口端縁から前記クロッチ域側の下端縁までの前記縦方向の長さ寸法を三等分した場合、前記後開口端縁側に位置する後外端域と、前記クロッチ域側に位置する後内端域と、前記後外端域と前記後内端域との間に位置する後中間域とを有し、前記後外端域と、前記後内端域と、前記後中間域とにおける伸長応力の相関関係は、前記後中間域≧前記後外端域＞前記後内端域である。
（１０）前記レッグ開口の一部に沿って配置されたレッグ弾性域を有し、前記レッグ弾性域と、前記後外端域とにおける伸長力の相関関係は、前記レッグ弾性域＜前記後外端域であり、前記レッグ弾性域と、前記後中間域とにおける伸長力の相関関係は、前記レッグ弾性域＜前記後中間域である。
【手続補正９】
【補正対象書類名】明細書
【補正対象項目名】０１００
【補正方法】変更
【補正の内容】
【０１００】
１０    パンツ型の使い捨て吸収性物品（使い捨てプルオンおむつ）
１１    吸液構造体
１４    前ウエスト域
１５    後ウエスト域
１６    クロッチ域
１８    前ウエストパネル
１９    後ウエストパエル
２２    ウエスト開口
２２ａ  前開口端縁
２２ｂ  後開口端縁
２３    レッグ開口
２８    前防漏性シート（前防漏性シート）
２９    後防漏性シート（後防漏性シート）
３２    第１後ウエスト弾性体
３４    第２後ウエスト弾性体（後ウエスト弾性体）
４９ａ  前ウエスト伸縮域
４９ｂ  前ウエスト保持域
４９ｃ  前ウエスト中央域
５０ａ  後ウエスト伸縮域
５０ｂ  後ウエスト保持域
５０ｃ  前ウエスト中央域
５８    吸収性コア
５８ａ  前端縁
５８ｂ  後端縁
５９    身体側ライナ（トップシート）
６０    外カバー（バックシート）
６１    防漏性シート
６２    レッグ弾性域
７４ａ  第２図（図）
７６    第２構成要素（構成要素）
１３７    前外端域
１３８    前内端域
１３９    前中間域
１４０    後外端域
１４１    後内端域
１４２    後中間域
Ｌ１    前ウエスト域の前防漏性シートの外端縁から前開口端縁までの縦方向における離間寸法
Ｌ２    後ウエスト域の後防漏性シートの外端縁から後開口端縁までの縦方向における離間寸法
Ｌ３    吸収性コアの前端縁から前開口端縁側までの縦方向における離間寸法
Ｌ５    吸収性コアの後端縁から後開口端縁までの縦方向における離間寸法
Ｌ６    後ウエスト域における吸収性コアの縦方向の寸法
Ｌ９    ウエスト保持域の縦方向の寸法（前ウエスト域における前開口端縁から吸収性コアの前端部までの長さ寸法）
Ｌ１０  ウエスト中央域の縦方向の寸法（前ウエスト保持域における下端縁からクロッチ域へ向けて縦方向へ延びる長さ寸法）
Ｘ      横方向
Ｙ      縦方向